(57)【要約】【課題】  扉に設けられ、帽子などを容易に掛けることができるフックの提供。【解決手段】帯状体が通される台座５と、台座５から突出して設けられる引っ掛け部７とを有する。台座５の上端部には、幅方向に細長い矩形状の貫通穴１５が、前後方向に沿って形成されている。貫通穴１５の下部には、後方へ突出する三角形状の歯１７が、幅方向に沿って複数形成されて、のこぎり歯状の係止部１９が構成されている。台座５の下壁１１には、幅方向に細長い矩形状の第一開口部２３が、下壁１１の厚さ方向に沿って形成されており、第一開口部２３に連続して矩形状の第二開口部２５が形成されている。フック１は、帯状体が貫通穴１５に通されて帯状体に設けられ、帯状体は扉に上下方向に沿って配置される。帯状体が第一開口部２３に通されて係合されることで、フック１は帯状体に対して位置決め固定される。【選択図】      図３
0003173956.tif 000002
【実用新案登録請求の範囲】
【請求項１】
扉に上下方向に沿って設けられる帯状体に取り付けられるフックであって、
上端部に前記帯状体が通される穴が形成されると共に、前記穴の下方位置に係止部が形成されており、
下端部に前記帯状体が係合可能な係合部が形成されており、
下端部が前記帯状体から離脱した状態では、前記帯状体に沿って上下動可能とされると共に、下端部が前記帯状体に係合された状態では、前記係止部が前記帯状体に接触して上下動が規制される
ことを特徴とするフック。
【請求項２】
扉に上下方向に沿って設けられる帯状体に取り付けられるフックであって、
後方へ開口する箱状の台座と、この台座から突出して設けられる引っ掛け部とを備え、
前記台座の前壁の上端部には、前記帯状体が通される穴が、後方へ行くに従って下方へ傾斜して形成されると共に、前記穴の下方位置に、のこぎり歯状の係止部が形成されており、
前記台座の下壁には、幅方向両端部から下方へ延出した後、幅方向内側へ突出する一対の突出部が形成されて開口部が形成されており、
前記台座の前記穴に前記帯状体が通された状態では、前記台座は前記帯状体に沿って上下動可能とされると共に、前記台座の前記開口部に前記帯状体が係合された状態では、前記係止部が前記帯状体に引っ掛かって前記台座の上下動が規制される
ことを特徴とするフック。
【考案の詳細な説明】
【技術分野】
【０００１】
本考案は、帽子や鞄などが引っ掛けられるフックに関するものである。
【背景技術】
【０００２】
従来、外出して帰宅した際、着用していた帽子や服および鞄などは、クローゼットなどに収納していた。
【考案の概要】
【考案が解決しようとする課題】
【０００３】
しかしながら、帽子や鞄などはよく使用するものであり、クローゼットにわざわざ収納して、外出のたびにクローゼットから出してくることは面倒であった。
【０００４】
本考案は上記事情に鑑みてなされたものであり、その主たる目的は、扉に設けられ、帽子などを容易に掛けることができるフックを提供することにある。
【課題を解決するための手段】
【０００５】
本考案は、前記課題を解決するためになされたものであり、請求項１に記載の考案は、扉に上下方向に沿って設けられる帯状体に取り付けられるフックであって、上端部に前記帯状体が通される穴が形成されると共に、前記穴の下方位置に係止部が形成されており、下端部に前記帯状体が係合可能な係合部が形成されており、下端部が前記帯状体から離脱した状態では、前記帯状体に沿って上下動可能とされると共に、下端部が前記帯状体に係合された状態では、前記係止部が前記帯状体に接触して上下動が規制されることを特徴とするフックである。
【０００６】
さらに、請求項２に記載の考案は、扉に上下方向に沿って設けられる帯状体に取り付けられるフックであって、後方へ開口する箱状の台座と、この台座から突出して設けられる引っ掛け部とを備え、前記台座の前壁の上端部には、前記帯状体が通される穴が、後方へ行くに従って下方へ傾斜して形成されると共に、前記穴の下方位置に、のこぎり歯状の係止部が形成されており、前記台座の下壁には、幅方向両端部から下方へ延出した後、幅方向内側へ突出する一対の突出部が形成されて開口部が形成されており、前記台座の前記穴に前記帯状体が通された状態では、前記台座は前記帯状体に沿って上下動可能とされると共に、前記台座の前記開口部に前記帯状体が係合された状態では、前記係止部が前記帯状体に引っ掛かって前記台座の上下動が規制されることを特徴とするフックである。
【考案の効果】
【０００７】
本考案のフックによれば、扉に設けられ、帽子などを簡単に掛けておくことができる。
【図面の簡単な説明】
【０００８】
【図１】本考案のフックの一実施例を前方から見た斜視図である。
【図２】図１のフックを後方から見た斜視図である。
【図３】図１のフックの縦断面図である。
【図４】図１のフックの上端部に帯状体が通された状態を示す斜視図である。
【図５】図４の状態における断面図である。
【図６】図１のフックが、帯状体に取り付けられて使用される状態を示す図である。
【図７】図１のフックが帯状体に位置決めされた状態を示す斜視図である。
【図８】図７の状態における断面図である。
【図９】帯状体に取付金具が設けられた状態を示す断面図である。
【図１０】取付金具を示す斜視図である。
【考案を実施するための形態】
【０００９】
以下、本考案のフックの実施例について図面に基づいて具体的に説明する。
【００１０】
図１〜図３は、本考案のフックの一実施例を示す図であり、図１は前方から見た斜視図、図２は後方から見た斜視図、図３は縦断面図である。また、図４は、本実施例のフックの上端部に帯状体が通された状態を示す斜視図であり、図５は、図４の状態における断面図である。
【００１１】
本実施例のフック１は、扉Ｄに設けられる帯状体３に取り付けられて使用される。
フック１は、帯状体３が通される台座５と、この台座５から突出して設けられる引っ掛け部７とを有し、本実施例では、台座５と引っ掛け部７とは合成樹脂により一体に形成されている。
【００１２】
台座５は、後方へ開口する矩形箱状とされる。
本実施例では、台座５の上壁９および下壁１１は、それぞれ後方へ行くに従って下方へ傾斜して形成されている。
【００１３】
台座５の前壁１３の上端部には、幅方向（図１において左右方向）に細長い矩形状の貫通穴１５が、前後方向に沿って形成されている。
この貫通穴１５は、後方へ行くに従って下方へ傾斜して形成されており、貫通穴１５の上面は、上壁９の下面と連続している。
また、貫通穴１５の幅寸法は、帯状体３の幅寸法に対応している。
【００１４】
図２に示すように、貫通穴１５の下部には、後方へ突出する三角形状の歯１７が、幅方向に沿って複数形成されて、のこぎり歯状の係止部１９が構成されている。
各歯１７は、後方へ行くに従って下方へ傾斜して形成されている。上壁９およびのこぎり歯状の係止部１９により、台座５の上端部には、後方へ行くに従って下方へ傾斜する導入穴が構成されている。
【００１５】
台座５の下壁１１には、幅方向（左右方向）に細長い矩形状の第一開口部２３が、下壁１１の厚さ方向に沿って形成されている。
また、この第一開口部２３の下端部中央部から下方へ開口するように、矩形状の第二開口部２５が、第一開口部２３に連続して形成されている。第一開口部２３および第二開口部２５により、台座５の下部には略Ｔ字形の開口部が形成されている。
換言すれば、下壁１１の下端部には、その幅方向両端部から下方へ延出した後、幅方向内側へ延出する略Ｌ字形の突出部２９，２９が形成されて、略Ｔ字形の開口部が形成されている。第一開口部２３の幅寸法は、帯状体３の幅寸法に対応している。
【００１６】
台座５の上下方向中途部から前方へ行くに従って上方へ突出して、矩形状の引っ掛け部７が形成されている。
【００１７】
図６は、本実施例のフックが、扉に設けられる帯状体に取り付けられて使用される状態を示す図である。図７は、フックが帯状体に位置決めされた状態の斜視図であり、図８は、図７の状態におけるフックの断面図である。図９は、帯状体に取付金具が設けられた状態の断面図である。
【００１８】
帯状体３は、化学繊維により形成された織物により構成されている。
帯状体３は、その両端部に取付金具３３，３３が取り付けられて、扉Ｄに上下方向に沿って設けられる。
この際、予め、帯状体３に、１または複数のフック１が設けられる。
【００１９】
本実施例では、フック１の上端部の貫通穴１５に、帯状体３が通されて、帯状体３にフック１が設けられる。具体的には、図４および図５に示すように、帯状体３が、フック１の貫通穴１５に、前方側（図５において上側）から後方側（図５において下側）へ通されて、帯状体３にフック１が設けられる。このように、貫通穴１５に帯状体３が通されたフック１は、帯状体３に対して上下動可能とされる。
【００２０】
予めフック１が設けられた帯状体３の両端部に、取付金具３３，３３が取り付けられる。図１０は、取付金具を示す斜視図である。
【００２１】
図１０に示すように、取付金具３３は、金属板を屈曲して形成された略コの字形材とされ、その両端片３５，３６間は扉Ｄの厚さに対応している。
【００２２】
取付金具３３の一端片３５には、幅方向に細長い２つの貫通穴３７，３９が、上下に離隔して形成されており、この貫通穴３７，３９間は、外方へ矩形状に突出して形成されている。
【００２３】
帯状体３の上端部は、取付金具３３の上側の貫通穴３７に、内側から外側へ通され、さらに下側の貫通穴３９に外側から内側へ通されて、帯状体３が取付金具３３に取り付けられる。また、帯状体３の下端部にも上端部と同様に取付金具３３が設けられる。
なお、図９では、帯状体３の端部に環状のゴム製のバンドＢが装着されている。
【００２４】
帯状体３が連結された各取付金具３３は、扉Ｄの上下端部において、その両端片３５，３６で扉Ｄを挟み込むように扉Ｄに設けられる。これにより、帯状体３が上下方向に沿って扉Ｄに配置される。なお、扉Ｄを閉じた状態において、扉Ｄの上下端部と扉枠Ｆおよび床との間には隙間が形成されており、この隙間部分に取付金具３３が配置される。
【００２５】
このように、扉Ｄに帯状体３が設けられた状態で、フック１を位置決めする。
具体的には、フック１を帯状体３に対して上下動させて、所望の位置にフック１を移動させた後、第二開口部２５を介して第一開口部２３に帯状体３を通せばよい。
フック１の第一開口部２３に帯状体３を通して、帯状体３をフック１に係合させることで、のこぎり歯状の係止部１９が帯状体３に接触して引っ掛かることで、フック１は帯状体３に対して上下動が規制され、位置決めされる。また、フック１の第一開口部２３に帯状体３が通された状態では、フック１の下端部の突出部２９，２９が帯状体３に当接しており、フック１は後方に、つまり扉側に押し付けられている。
このように、帯状体３に位置決め固定されたフック１の引っ掛け部７に、帽子や鞄などを引っ掛ければよい。
【００２６】
本実施例では、扉Ｄに帯状体３を配置して張ることで、帯状体３が通されたフック１は扉側へ押圧され安定する。
また、フック１の第一開口部２３に帯状体３を通して、フック１を帯状体３に係合させることで、フック１はグラつくことなく安定する。
【００２７】
本実施例のフックは、開き戸タイプおよび折れ戸タイプの扉に取り付けることができ、たとえば、間仕切り扉やクローゼットの扉に取り付けることができる。
なお、本考案のフックは、上記実施例の構成に限らず、適宜変更可能である。
【符号の説明】
【００２８】
１  フック
３  帯状体
５  台座
７  引っ掛け部
１７  歯
１９  係止部
２３  第一開口部（係合部）
【図１】
0003173956.tif 000003
【図２】
0003173956.tif 000004
【図３】
0003173956.tif 000005
【図４】
0003173956.tif 000006
【図５】
0003173956.tif 000007
【図６】
0003173956.tif 000008
【図７】
0003173956.tif 000009
【図８】
0003173956.tif 000010
【図９】
0003173956.tif 000011
【図１０】
0003173956.tif 000012